(57)【特許請求の範囲】
【請求項１】
原稿データを記憶する画像メモリを備え、この画像メモリから読み出した画像データをインターレース走査により表示器へ表示すると共に、この表示器上の原稿を上下にスクロール可能に制御するプロンプターの映像信号処理装置において、
上記スクロールの速度に応じて選択されたフィールド毎に、上記画像メモリの読出しの先頭水平ラインを垂直方向に順次ずらしながら下スクロールを実行するとき、画面上で更新表示される水平走査ラインの移動が小さくなる結果となるフィールドを選択し、このフィールド読出し時に、上記先頭水平ラインを更新制御する制御回路を設けたことを特徴とするプロンプターの映像信号処理装置。
【請求項２】
順に読み出されるフィールドの一つ置きに、上記画像メモリにおける読出しの先頭水平ラインをずらすスクロール速度のときは、偶数フィールドの読出し時に、上記先頭水平ラインを更新するようにしたことを特徴とする上記第１請求項記載のプロンプターの映像信号処理装置。
【請求項３】
順に読み出されるフィールドの二つ置きに、上記画像メモリにおける読出しの先頭水平ラインをずらすスクロール速度のときは、連続する３つの偶数フィールドのうち所定の一つを除くフィールドの読出し時に、上記先頭水平ラインを更新するようにしたことを特徴とする上記第１請求項記載のプロンプターの映像信号処理装置。
【発明の詳細な説明】
【０００１】
【発明の属する技術分野】
本発明はプロンプターの映像信号処理装置、特にテレビカメラ等の撮影中に、ニュースキャスター等のために表示器に表示した原稿を上下方向にスクロールするための信号処理の内容に関する。
【０００２】
【従来の技術】
テレビカメラによる放送等では、テレビカメラの前側近傍に表示器を配置したプロンプター装置が用いられており、このプロンプター装置は、ニュースキャスター、司会者、出演者等に読ませる各種の原稿を表示することができる。この種の装置では、原稿用カメラで撮影された原稿画像データを画像メモリに取り込み、この画像データを表示器に表示する処理が映像信号処理装置で行われる。
【０００３】
図５には、画像メモリと読出し処理の状態が示されており、図示されるように、例えば画像メモリＭは１８３×２４１の画素数で構成される１画面分の情報が記憶できるようになっている。そして、この画像メモリＭからは、同一のデータが奇数（ODD ）フィールド及び偶数（EVEN）の両者のデータとして読み出される。図の場合は、ODD （Ｏ）フィールドにおいて、メモリＭのアドレス１の水平ラインデータが２１の水平走査ライン、メモリＭのアドレス２の水平ラインデータが２２の水平走査ライン、メモリＭのアドレス３の水平ラインデータが２３の水平走査ラインに対応して（４水平ライン以降も同様）読み出される。また、EVEN（Ｅ）フィールドでは、メモリＭのアドレス１の水平ラインデータが２８３の水平走査ライン、メモリＭのアドレス２の水平ラインデータが２８４の水平走査ライン、メモリＭのアドレス３の水平ラインデータが２８５の水平走査ラインに対応して読み出される。
【０００４】
このようにして読み出されたODD フィールドとEVENフィールドは、１／６０秒毎のインターレース走査によって表示器に表示される。そして、この表示器の画面上の原稿は、操作釦等で上下或いは左右にスクロールしたり、頁毎に送ったりすることができ、これによってニュースキャスター等は原稿を読むことが可能となる。
【０００５】
【発明が解決しようとする課題】
しかしながら、従来のプロンプターの映像信号処理装置では、上記の上下スクロールにおいて、スクロール速度が比較的遅い、１画面を８秒で移動させるモード或いは１画面を１２秒で移動させるモードのとき、垂直方向の映像がちらつき見づらいという問題があった。特に、これらのスクロール速度は高い頻度で用いられており、改善の必要性も高い。
【０００６】
即ち、スクロール速度を上記の８秒／画面とする場合は、上述のように、画像メモリＭに格納されている約２４０の水平ラインのフィールド情報が１／６０秒で表示されることから、８（秒）÷２４０÷（１／６０）＝２となり、２フィールド（一つ置きのフィールド）毎に先頭水平ラインを次のラインにずらすことになる。また、スクロール速度を上記の１２秒／画面とする場合は、１２（秒）÷２４０÷（１／６０）＝３となり、３フィールド（二つ置きのフィールド）毎に先頭水平ラインを次のラインにずらすことになる。
【０００７】
図６には、下スクロールにおける上記８秒／画面のスクロール速度のときの先頭水平ラインの位置が丸番号１で示されており、これは順次読み出されるODD フィールドで水平ラインを１つ加算して更新したときの状態である。この図によれば、インターレース走査されることから、先頭水平ライン（丸１）がEVENフィールドで一旦、上に１ライン上がり、次のODD フィールドで３ライン下まで移動することになる。従って、この３ライン下に下がるとき、即ちEVENフィールドからODD フィールドへ移行するときに、画像がちらつき見難い画面となる。
【０００８】
図７には、上記１２秒／画面のスクロール速度（下スクロール）のときの表示状態が示されており、この場合は、二つ置きのフィールドで水平ラインを１つ加算して更新することになる。この場合も、発生のタイミングは異なるが、先頭水平ライン（丸１）が一旦、上に１ライン上がり、その後３ライン下まで移動する状態が起こり、この３ライン下までの移動時に、画像がちらつくことになる。
【０００９】
本発明は上記問題点に鑑みてなされたものであり、その目的は、下スクロール操作での垂直方向の映像のちらつきをなくし、見やすい画面を得ることができるプロンプターの映像信号処理装置を提供することにある。
【００１０】
【課題を解決するための手段】
上記目的を達成するために、第１請求項記載の発明は、原稿データを記憶する画像メモリを備え、この画像メモリから読み出した画像データをインターレース走査により表示器へ表示すると共に、この表示器上の原稿を上下にスクロール可能に制御するプロンプターの映像信号処理装置において、上記スクロールの速度に応じて選択されたフィールド毎に、上記画像メモリの読出しの先頭水平ラインを垂直方向に順次ずらしながら下スクロールを実行するとき、画面上で更新表示される水平走査ラインの移動が小さくなる結果となるフィールドを選択し、このフィールド読出し時に、上記先頭水平ラインを更新制御する制御回路を設けたことを特徴とする。
第２請求項記載の発明は、順に読み出されるフィールドの一つ置きに、上記画像メモリにおける読出しの先頭水平ラインをずらすスクロール速度のときは、偶数フィールドの読出し時に、上記先頭水平ラインを更新するようにしたことを特徴とする。
第３請求項記載の発明は、順に読み出されるフィールドの二つ置きに、上記画像メモリにおける読出しの先頭水平ラインをずらすスクロール速度のときは、連続する３つの偶数フィールドのうち所定の一つを除くフィールドの読出し時に、上記先頭水平ラインを更新するようにしたことを特徴とする。
【００１１】
作用
上記の構成によれば、例えば下スクロールの速度が８秒／画面のときは、第２請求項の制御方式により、偶数フィールドの読出し時に先頭水平ラインの１つずつの更新が実行される。これによれば、水平ラインの３ライン目への移動がなくなり、１ラインずつ順に移動させながら、上下スクロール表示を行うことが可能となる。
【００１２】
また、スクロール速度が１２秒／画面のときは、第３請求項の制御方式が用いられ、偶数フィールドを連続する３つのフィールド毎に考えたとき、例えば最初の２つのフィールドの読出し時に、先頭水平ラインの１つずつの更新が実行され、最後のフィールドの読出し時では更新されない。これによっても、水平ラインの３ライン目への移動がなくなり、１ライン毎の移動による上下スクロール表示を行うことができる。
【００１３】
【発明の実施の形態】
図１には、実施形態の一例であるプロンプターの映像信号処理装置の全体構成が示されている。図において、ビデオ入力端子１０は、原稿用カメラのビデオ出力端子に接続され、この入力端子１０から原稿用カメラで撮影した原稿画像が供給される。このビデオ入力端子１０には、Ａ／Ｄ変換器１１を介してＳＲＡＭ等からなる画像メモリ１２が接続され、この画像メモリ１２は、数十枚の原稿画像が記憶できるようになっている。また、この画像メモリ１２には、Ｄ／Ａ変換器１３を介してビデオアンプ１４が接続され、このビデオアンプ１４にビデオ出力端子１５が接続される。
【００１４】
一方、上記ビデオ入力端子１０からビデオ信号を入力して、同期信号を分離する同期分離回路１７、この同期分離回路１７から出力された同期信号から各種のタイミング信号を形成するタイミングジェネレータ１８が設けられており、この各種のタイミング信号は装置内の各回路へ供給される。また、制御を統轄するＣＰＵ１９、このＣＰＵ１９で指定されたアドレスを選択するアドレスデコーダ２０等が設けられ、更には上下又は左右のスクロール操作、頁送り操作等をする操作部２１が上記ＣＰＵ１９に接続されて配置される。
【００１５】
上記操作部２１では、上下スクロールの速度が操作ツマミ等で変えられ、例えば１秒／画面から１２秒／画面の間で設定された速度が選択できるようになっており、ＣＰＵ１９ではこのスクロール速度に応じた画像処理をすることになる。そして、当該例のＣＰＵ１９では、８秒／画面のスクロール速度のとき、偶数フィールドの読出し時に先頭水平ラインを１つずつ更新し、スクロール速度が１２秒／画面のとき、偶数フィールドを連続する３つのフィールド毎に考えたとき、最初の２つのフィールドの読出し時に先頭水平ラインを１つずつ更新し、最後のフィールドの読出し時では更新しないように制御する。
【００１６】
実施形態例は以上の構成からなり、図２のフローチャートを参照しながらその作用を説明する。まず、操作釦等により書込みモードが選択されると、原稿用カメラから出力されたビデオ信号が図１のビデオ入力端子１０から入力され、原稿の画像信号データはＡ／Ｄ変換器１１を介して画像メモリ１２へ格納される。その後、読出しモードが選択されると、ＣＰＵ１９はアドレスデコーダ２０に対し画像メモリ１２のアドレスを指定することになり、これによって画像メモリ１２から所定データが順に読み出されて表示器へ供給される。
【００１７】
このような画像表示において、操作部２１の操作により上下スクロールができることになり、８秒／画面又は１２秒／画面のスクロール速度が選択されている場合は、図２に示される動作がＣＰＵ１９で実行される。
【００１８】
図２おいて、まずステップ１０１では、所定のフィールドを選択するためのアドレスカウンタの設定が行われ、当該例ではスクロール開始から１番目のEVENフィールドを読み出した後に、アドレスカウントを１に設定する。次のステップ１０２では、スクロール速度が８秒／画面に設定されている状態か否かを判定し、YES （Ｙ）であるときはステップ１０３へ移行する。このステップ１０３では、次の読出しフィールドがEVEN（偶数）フィールドであるか否かを判定し、ODD （奇数）フィールド（NO）のときはエンドへ移行し、YES のときはステップ１０４にて先頭水平ラインのアドレスを１ライン加算して、１画面の表示を更新する。但し、スクロール開始から第１番目のEVENフィールドについてはこの１ライン加算が省略される。
【００１９】
図３には、上記８秒／画面のスクロール速度での表示状態が示されている。上記の動作によれば、上下スクロール開始から２番目のEVENフィールド時から、EVENフィールドの読出し時毎に先頭水平ラインが１ラインだけ加算されて行き、図示のように、連続的に一ラインずつずれる画像表示となる。従って、上下スクロール時の垂直方向の映像のちらつきが解消される。
【００２０】
上記図２のステップ１０２で、スクロール速度が８秒／画面に設定されていない（NO）と判定されたときは、ステップ１０５へ移行する。このステップ１０５では、スクロール速度が１２秒／画面に設定されている状態か否かを判定しており、YES のときは、ステップ１０６にて次の読出しフィールドがEVENフィールドであるか否かを判定し、YES のときにステップ１０７へ移行する。
【００２１】
上記ステップ１０７では、アドレスカウントが３であるか否かの判定が行われ、NOのとき、即ちアドレスカウントが１又は２のときのEVENフィールドであれば、ステップ１０８へ移行してアドレスカウントを１だけ加算し、次のステップ１０９で先頭水平ラインを１ライン加算して１画面の表示を更新する。一方、上記ステップ１０７でYES のとき、即ちアドレスカウントが３のときは、ステップ１１０でアドレスカウントを１に戻し、先頭水平ラインの更新は行わない。
【００２２】
図４には、上記１２秒／画面のスクロール速度での表示状態が示されている。
上記の動作によれば、上下スクロール開始から２番目（アドレスカウント１のもの）のEVENフィールドから３つずつのグループで考えると、最初の２つEVENフィールドの読出し時に先頭水平ラインが１ラインだけ加算され、最後の１つのEVENフィールドの読出し時では加算されない。この結果、図４に示されるように、一ラインずつずれる画像表示となり、３ライン目に飛ぶということはなくなり、この場合も上下スクロール時の垂直方向の映像のちらつきが解消される。
【００２３】
上記実施形態例では、画像メモリ１２が約２４０ラインの構成で、スクロール速度が８秒／画面、１２秒／画面となる場合について説明したが、他の構成においても、先頭水平ラインの更新が一つ置き、又は二つ置きのフィールドで行われる場合には、上記と同様の動作制御を適用することが可能である。
【００２４】
【発明の効果】
以上説明したように、本発明によれば、例えばスクロール速度が８秒／画面のときは、偶数フィールドの読出し時に、画像メモリにおける読出しの先頭水平ラインを１ライン更新するようにし、またスクロール速度が１２秒／画面のときは、連続する３つの偶数フィールドうち所定の一つを除くフィールドの読出し時に、上記先頭水平ラインを１ライン更新するようにしたので、ＮＴＳＣ方式のインターレース走査を行う表示画面で、下スクロールを行うとき、垂直方向の映像のちらつきをなくすことができ、見やすい画面を得ることが可能となる。
【図面の簡単な説明】
【図１】本発明の実施形態例に係るプロンプターの映像信号処理装置の全体構成を示す回路ブロック図である。
【図２】図１のＣＰＵでの動作を示すフローチャート図である。
【図３】実施形態例において、８秒／画面のスクロール速度のときの先頭水平ラインの表示状態を示す説明図である。
【図４】実施形態例において、１２秒／画面のスクロール速度のときの先頭水平ラインの表示状態を示す説明図である。
【図５】実施形態形態例又は従来の装置の画像メモリと読出し処理の様子を示す説明図である。
【図６】従来において、８秒／画面のスクロール速度のときの先頭水平ラインの表示状態を示す説明図である。
【図７】従来において、１２秒／画面のスクロール速度のときの先頭水平ラインの表示状態を示す説明図である。
【符号の説明】
１２，Ｍ  …  画像メモリ、
１９  …  ＣＰＵ、
２０  …  アドレスデコーダ、
２１  …  操作部。
【図１】
0003710196.tif 000002
【図２】
0003710196.tif 000003
【図３】
0003710196.tif 000004
【図４】
0003710196.tif 000005
【図５】
0003710196.tif 000006
【図６】
0003710196.tif 000007
【図７】
0003710196.tif 000008